【手続補正書】
【提出日】令和3年4月7日(2021.4.7)
【手続補正１】
【補正対象書類名】明細書
【補正対象項目名】００１３
【補正方法】変更
【補正の内容】
【００１３】
上記の構成によれば、第一巻回部と第二巻回部とを縦積みしているため、第一巻回部と第二巻回部とを平置きする場合に比較して、設置面積が小さい。一般的に、第一巻回部と第二巻回部の並列方向とコイルの軸方向との両方向に直交する方向に沿った組合体の長さが、第一巻回部と第二巻回部の並列方向に沿った組合体の長さよりも小さいからである。
【手続補正２】
【補正対象書類名】明細書
【補正対象項目名】００３１
【補正方法】変更
【補正の内容】
【００３１】
上記の構成によれば、突出部により、第二巻回部に対して放熱部材を適正な位置に配置し易い。突出部を第一巻回部と第二巻回部との間に介在させることで、放熱部材をケースの深さ方向の所定の位置に位置決めできるからである。そのため、封止樹脂部の形成時、充填樹脂の流動に伴う放熱部材の位置ずれを抑制し易い。放熱部材の位置ずれとしては、例えば、ケースの内底面側へ沈むことが挙げられる。その上、リアクトルの製造時、放熱部材をコイルに組み付け易い。そのため、リアクトルの製造作業性に優れる。
【手続補正３】
【補正対象書類名】明細書
【補正対象項目名】００４７
【補正方法】変更
【補正の内容】
【００４７】
上記角度αが９１°以上であれば、ケース５の離型性を高められる。上記角度αが９１°以上であれば、第一巻回部２１と第二巻回部２２の幅が同一であるので、第一巻回部２１と第二巻回部２２とを互いの軸が平行となるように内底面５１１に直交する方向（ケース５の深さ方向）に積層（縦積み）した場合、上段側の第二巻回部２２の側面と傾斜面５２２との間の間隔は、下段側の第一巻回部２１の側面と傾斜面５２２との間の間隔に比較して大きくなり易い。しかし、上段側の第二巻回部２２の側面と傾斜面５２２との間の隙間に介在される放熱部材６（後述）を備えることで、上段側の第二巻回部２２の側面と傾斜面５２２との間の隙間を埋めることができる。そのため、上記縦積みしても、ケース５の側壁部５２を介して第二巻回部２２を放熱させ易い。上記角度αが９５°以下であれば、角度が過度に大き過ぎない。そのため、放熱部材６の幅が過度に大きくなり過ぎない。よって、放熱部材６のサイズを小さくし易いため、放熱部材６の使用量を低減できる。
【手続補正４】
【補正対象書類名】明細書
【補正対象項目名】００６５
【補正方法】変更
【補正の内容】
【００６５】
〈第二放熱部〉
第二放熱部６２は、他方の傾斜面５２２と第二巻回部２２の他方の側面との間に介在される（図２の紙面右側）。放熱部材６が第二放熱部６２を有することで、第二巻回部２２の他方の側面からも第二放熱部６２を介して第二巻回部２２の熱をケース５の側壁部５２に伝達させ易い。この第二放熱部６２は、第一放熱部６１と同じ構成を採用できる。
【手続補正５】
【補正対象書類名】明細書
【補正対象項目名】００６８
【補正方法】変更
【補正の内容】
【００６８】
第一内側コア部３１及び第二内側コア部３２はそれぞれ、第一巻回部２１及び第二巻回部２２の内部に配置される。第一内側コア部３１及び第二内側コア部３２は、磁性コア３のうち、第一巻回部２１及び第二巻回部２２の軸方向に沿った部分を意味する。本例では、磁性コア３のうち、第一巻回部２１及び第二巻回部２２の軸方向に沿った部分の両端部が第一巻回部２１及び第二巻回部２２の外側に突出しているが、その突出する部分も第一内側コア部３１及び第二内側コア部３２の一部である。一対の外側コア部３３は、第一巻回部２１及び第二巻回部２２の外部に配置される。即ち、外側コア部３３は、コイル２が配置されず、コイル２から突出（露出）される。
【手続補正６】
【補正対象書類名】明細書
【補正対象項目名】００７４
【補正方法】変更
【補正の内容】
【００７４】
本例の外側コア部３３の形状は、四角錐台状である。具体的には、外側コア部３３を外端面と上面（下面）の形状が矩形であり、側面の形状が直角台形の柱状体が挙げられる（図１）。外側コア部３３の外端面は、コア対向面５２３の傾斜面５２４に平行な面で構成することが好ましい。外側コア部３３の外端面とコア対向面５２３の傾斜面５２４とを面接触させられるからである。この面接触によって、外側コア部３３の熱をケース５の側壁部５２に伝達させ易い。そのため、磁性コア３の放熱性を高め易い。その上、一対の外側コア部３３を互いに近接する方向に押し付けることができる。そのため、ケース５に対する磁性コア３の位置ずれが生じ難い。
【手続補正７】
【補正対象書類名】明細書
【補正対象項目名】００８０
【補正方法】変更
【補正の内容】
【００８０】
（１）第一巻回部２１と第二巻回部２２とを縦積みしているため、第一巻回部２１と第二巻回部２２とを平置きする場合に比較して、設置面積が小さい。第一巻回部２１と第二巻回部２２の並列方向とコイル２の軸方向との両方向に直交する方向に沿った組合体１０の長さが、第一巻回部２１と第二巻回部２２の並列方向に沿った組合体１０の長さよりも小さいからである。
【手続補正８】
【補正対象書類名】明細書
【補正対象項目名】００９４
【補正方法】変更
【補正の内容】
【００９４】
《実施形態２》
〔リアクトル〕
図３を参照して、実施形態２に係るリアクトル１Ｂを説明する。実施形態２に係るリアクトル１Ｂは、第一放熱部６１及び第二放熱部６２（放熱部材６）がそれぞれ金属で構成されている。実施形態２に係るリアクトル１Ｂは、絶縁部材７を備える点が、実施形態１に係るリアクトル１Ａと相違する。以下、相違点を中心に説明し、同様の構成については説明を省略する。この点は、後述する実施形態３〜実施形態５でも同様である。図３は、図２に示す断面図と同様の位置でリアクトル１Ｂを切断した状態を示す断面図である。
【手続補正９】
【補正対象書類名】明細書
【補正対象項目名】００９８
【補正方法】変更
【補正の内容】
【００９８】
〔作用効果〕
実施形態２に係るリアクトル１Ｂは、第二巻回部２２をその両方の側面から放熱させ易い。第一放熱部６１及び第二放熱部６２がそれぞれ金属で構成されているため、第二巻回部２２の両方の側面から第一放熱部６１と第二放熱部６２とを介して第二巻回部２２の熱をケース５の側壁部５２に伝達させ易いからである。その上、第一放熱部６１及び第二放熱部６２とコイル２とを絶縁し易い。絶縁部材７が第一放熱部６１及び第二放熱部６２におけるコイル２との対向領域に形成されているからである。
【手続補正１０】
【補正対象書類名】明細書
【補正対象項目名】０１００
【補正方法】変更
【補正の内容】
【０１００】
（放熱部材）
〈突出部〉
各突出部６１１，６２１は、第一巻回部２１と第二巻回部２２との間に介在される。各突出部６１１，６２１により、第二巻回部２２に対して第一放熱部６１と第二放熱部６２とを適正な位置に配置し易い。各突出部６１１，６２１を第一巻回部２１と第二巻回部２２との間に介在させることで、第一放熱部６１と第二放熱部６２とをケース５の深さ方向の所定の位置に位置決めできるからである。そのため、封止樹脂部８の形成時、充填樹脂の流動に伴う第一放熱部６１と第二放熱部６２の位置ずれを抑制し易い。第一放熱部６１及び第二放熱部６２の位置ずれとしては、例えば、ケース５の内底面５１１側へ沈むことが挙げられる。その上、リアクトル１Ｃの製造時、第一放熱部６１及び第二放熱部６２をコイル２に組み付け易い。そのため、リアクトル１Ｃの製造作業性に優れる。
【手続補正１１】
【補正対象書類名】明細書
【補正対象項目名】０１０２
【補正方法】変更
【補正の内容】
【０１０２】
突出部６１１，６２１の断面形状は、本例ではその先端側に先細る直角三角形状としている。突出部６１１，６２１の突出する部分を形成する上辺と下辺の２つの辺のうち、下辺が第一巻回部２１の連結辺２１２に平行であり、上辺が傾斜辺である。下辺が連結辺２１２に平行であることで、下辺を第一巻回部２１に当て止めさせられる。そのため、封止樹脂部８の形成時、ケース５の開口部５５側から樹脂を注ぐことによって第一放熱部６１及び第二放熱部６２がケース５の内底面５１１側へ沈むことを抑制し易い。なお、直角三角形は、上辺が第二巻回部２２の連結辺２２２に平行であり、下辺を傾斜辺としてもよい。上辺が連結辺２２２に平行であることで、上辺を第二巻回部２２に当て止めさせられる。そのため、封止樹脂部８の形成時、ケース５内の充填樹脂の嵩が増えることによって第一放熱部６１及び第二放熱部６２がケース５の開口部５５側へ浮き上がることを抑制し易い。
【手続補正１２】
【補正対象書類名】明細書
【補正対象項目名】０１０８
【補正方法】変更
【補正の内容】
【０１０８】
（放熱部材）
〈連結部〉
連結部６３は、第二巻回部２２の上面（第一巻回部２１側とは反対側）に配置されていて、第一放熱部６１と第二放熱部６２の上端同士を連結している。この連結部６３によって、第二巻回部２２に対して第一放熱部６１と第二放熱部６２とを適正な位置に配置し易い。連結部６３を第二巻回部２２の上面に配置することで、第一放熱部６１と第二放熱部６２とをケース５の深さ方向の所定の位置に位置決めできるからである。そのため、封止樹脂部８の形成時、充填樹脂の流動に伴う第一放熱部６１及び第二放熱部６２の位置ずれを抑制し易い。第一放熱部６１及び第二放熱部６２の位置ずれとしては、例えば、ケース５の内底面５１１側へ沈むことや、第二巻回部２２の軸方向に沿って移動することなどが挙げられる。この連結部６３により第一放熱部６１と第二放熱部６２とを一体物として扱えることで、リアクトル１Ｄの製造作業性を高められる。連結部６３は、第二巻回部２２の上面を機械的に保護及び外部環境から保護（防食性の向上）することもできる。
【手続補正１３】
【補正対象書類名】明細書
【補正対象項目名】０１２３
【補正方法】変更
【補正の内容】
【０１２３】
〔作用効果〕
実施形態５に係るリアクトル１Ｅによれば、第二巻回部２２をその両方の側面から放熱させ易い。第一巻回部２１及び第二巻回部２２を傾けて、第二巻回部２２の一方の側面と一方の傾斜面５２２とを面接触させているからである。その上、他方の傾斜面５２２と第二巻回部２２の他方の側面との間に第一放熱部６１（放熱部材６）を介在させることにより、第二巻回部２２の他方の側面からも第二巻回部２２の熱をケース５の側壁部５２に伝達させ易いからである。